(57)【要約】      （修正有）【課題】店舗等にて長期間見栄えの良い状態を保持し得るケース体を提供する。【解決手段】ケース体１は、一方の面を表示面とした表示面部３と、シートの折り曲げにより成形された状態で前記表示面部３の他方の面の一部に添接したケース本体２とを有するケース体１であって、前記ケース本体２が、表示面部３の厚み方向に湾曲した状態で前記表示面部３から立ち上がる曲がり縁２８を有することを特徴とするものである。【選択図】図１
0003171079.tif 000002
【実用新案登録請求の範囲】
【請求項１】
一方の面を表示面とした表示面部と、
シートの折り曲げにより成形された状態で前記表示面部の他方の面の一部に添接したケース本体とを有するケース体であって、
前記ケース本体が、表示面部の厚み方向に湾曲した状態で前記表示面部から立ち上がる曲がり縁を有することを特徴とするケース体。
【請求項２】
前記表示面部が、前記ケース本体に添接するケース添接部とこのケース添接部からはみ出したしたはみ出し部を有するものであり、前記曲がり縁を、前記はみ出し部に近接する位置に位置付けている請求項１記載のケース体。
【請求項３】
前記曲がり縁が、上下方向に延出している請求項１又は２記載のケース体。
【請求項４】
前記ケース本体が、曲がり縁から連続して設けられ前記表示面部に接着するための接着片を有し、
この接着片が、前記曲がり縁から前記はみ出し部へ向けて屈曲した状態で前記表示面部に接着されている請求項１、２又は３記載のケース体。
【請求項５】
曲がり縁が湾曲形状に膨出させた形状をなす請求項１、２、３又は４記載のケース体。
【請求項６】
前記表示面部と前記ケース本体とを一体に形成している請求項１、２、３、４又は５記載のケース体。
【考案の詳細な説明】
【技術分野】
【０００１】
本考案は、店舗等において商品を好適に陳列する目的で用いられる、表示面部に商品を収容したケース本体を添接させたケース体に関するものである。
【背景技術】
【０００２】
従来、店舗等において商品を好適に陳列するといった目的などで、表側に例えば商品についての印刷が施された表示面部の裏側に、商品を収容したケース本体を取り付けたケース体が用いられている（例えば、特許文献１参照）。斯かるケース体はケース本体を例えば透明な樹脂としてケース内の商品を見せつつ表示面部には各々のデザインが印刷されているため、商品の陳列と表示・宣伝とを同時に行い得るものとなっている。
【０００３】
このようなケース体は、一枚のシートを適宜折り畳むことによってケース本体を製函された製函状態とする工程と、製函状態にあるケース本体を表示面部の所定箇所に、接着剤Ｂ等を別途用いて貼付ける工程とを、少なくとも要するものとなっている。
【０００４】
ところで、上述したようなケース体の殆どのものは表示面部の全ての領域でケース本体が添接しているものではなく、ケース本体が添接している部分からはみ出したはみ出し部分がある。このようなものの場合、例えばケース本体が組み立てられ表示面部に添接させた状態で長期間おいておくと、表示面部の、特に上記のはみ出し部が前後何れかの方向に反ってしまい、当該ケース体を店舗に陳列する際の見栄えが劣ってしまうという場合がある。
【先行技術文献】
【特許文献】
【０００５】
【特許文献１】実用新案登録第３１３５５４３号公報
【考案の概要】
【考案が解決しようとする課題】
【０００６】
本考案は、このような課題に着目してなされたものであって、主たる目的は、店舗等にて長期間見栄えの良い状態を保持し得るケース体を提供することにある。
【課題を解決するための手段】
【０００７】
すなわち、本考案のケース体は、一方の面を表示面とした表示面部と、シートの折り曲げにより成形された状態で前記表示面部の他方の面の一部に添接したケース本体とを有するケース体であって、前記ケース本体が、表示面部の厚み方向に湾曲した状態で前記表示面部から立ち上がる曲がり縁を有することを特徴とする。
【０００８】
このようなものであれば、ケース本体に設けた曲がり縁が表示面部から立ち上がることにより、表示面部は曲がり縁に沿って何れかの方向に予め反り返らせた状態でケース体を組み立てることができる。これにより、表示面部は予め反らせた方向に直交する方向に反り難くなる。その結果、表示面部が店舗等において経時的に反ってしまい、陳列時の見栄えが衰えるという不具合を有効に回避することができる。
【０００９】
そして、上述した表示面部の反りが起こりやすいのが、ケース本体に添接するケースからはみ出したしたはみ出し部である。そこで、この曲がり縁を、はみ出し部に近接する位置に位置付けておけば、上述した陳列時の見栄えの衰えの原因となる箇所を予め反らせておくことで、より一層陳列時の見栄えの衰えを回避することができる。
【００１０】
また、店舗にケース体を陳列する場合、ケース体の陳列箇所の正面から見下ろすか、場合によっては見上げるように店舗の顧客から見られることが多いため、上下方向の反りよりも、左右方向の反りの方が目立ち、気付かれ易い。そこで上述した曲がり縁を上下方向に延出させて設けておけば、顧客に気付かれやすい左右方向の表示面部の反りを有効に抑えることができる。
【００１１】
加えて、ケース体を構成する態様として、ケース本体の縁部から外側に折られ、表示面部に接着される接着片を有するものが多い。このようなものの場合では、上記の曲がり縁を接着片に連続する位置に設けておく。そうすることにより、この接着片の折り曲げ箇所で起こるこの接着片の折り返し方向の変形に起因する表示面部の反りを有効に抑えることができる。
【００１２】
上記の曲がり縁を目立たないようにするためには、この曲がり縁が湾曲形状に膨出させた形状としておくことが好ましい。
【００１３】
また本発明に係るケース体は表示面部とケース本体とが別体のものであっても良いが、表示面部と前記ケース本体とを一体に形成することにより、ケース体を構成するシートの枚数及び組立ての工数を有効に節減し得る。
【考案の効果】
【００１４】
以上説明したように本考案によれば、店舗等にて長期間見栄えの良い状態を保持し得るケース体を提供することが可能となる。
【図面の簡単な説明】
【００１５】
【図１】本考案の一実施形態に係るケース体の製函状態を示す外観図。
【図２】同実施形態に係るケース体を形成し得るシートの平面図。
【図３】同実施形態に係るケース体の保管状態を示す背面図。
【図４】同実施形態に係るケース体の製函状態を示す背面図。
【図５】同左側面図。
【図６】図３におけるＡ−Ａ線端面図。
【考案を実施するための形態】
【００１６】
以下、本考案の一実施形態を、図面を参照して説明する。
【００１７】
本実施形態に係るケース体１は、図１乃至図６に示すように、ケース本体２内に収容された商品を店舗において好適に陳列し得るものである。そしてこのケース体１は、例えば透明なＰＰ，ＰＥＴ或いはＰＶＣ製のフィルムを打ち抜きにより図２に示す形状とした一枚のシートＳを、適宜折り曲げ、接着することにより製函状態（Ｐ）として、図１等に示す形状とする。またこのケース体１は、具体的には、商品を入れない状態で保管する際には、図２に示すシートＳを後述する第１側面板２１と背面板２２との間で折り曲げ、接着片２９を表示面部３に接着しておいた図３に示す保管状態（Ｑ）で重層させておく。そして商品を入れる際に製函状態（Ｐ）とし、店舗に陳列する。なお本実施形態では表示面部における接着片との接着位置には図示しない印刷が適宜施されることにより、前方からは商品は表示面部３を介して好適に視認し得る反面、印刷により接着片２９を視認し得ないようにしている。
【００１８】
ここで、本実施形態に係るケース体１は、一方の面を表示面とした表示面部３と、シートＳの折り曲げにより成形された状態で前記表示面部３の他方の面の一部に添接したケース本体２とを有するケース体１であって、前記ケース本体２が、表示面部３の厚み方向に湾曲した状態で前記表示面部３から立ち上がる曲がり縁２８を有することを特徴とするものである。
【００１９】
以下、このケース体１の具体的な構成について説明する。
【００２０】
ケース本体２は、表示面部３の側方及び下方からシートＳの一部を適宜突出させて形成されている。すなわちケース本体２は、表示面部３の側方から、第１側面板２１と、背面板２２と、第２側面板２３と、接着片２９とを側方に連続させて有するとともに、表示面部３の下方からは底蓋部２７を主に連続させてなる。
【００２１】
背面板２２は上部に上蓋部２５を、下方には商品の底面に直接接する底補助板２６を連続させている。上蓋部２５はさらにその上方に挿入片２５ａを連続させるとともに、この挿入片２５ａの基端両側を切り込んだ係止部２５ｂを形成している。底補助板２６は、基端中央をコの字状に切り欠いたコの字スリット２６ａを設けている。これにより、背面板２２には製函状態（Ｐ）で下端を突出させた接地端２２ａが形成される。そして第１側面板２１及び第２側面板２３は、上下方向にそれぞれ蓋止片２４を連続させている。上方に突出した蓋止片２４は上蓋部２５を、下方に突出した蓋止片２４は底補助板２６及び底蓋部２７を位置決めする。接着片２９は、図１及び図３に示すように、表示面部３に対して接着剤Ｂを介して強固に接着される。
【００２２】
また、表示面部３の下端から連続する底蓋部２７は、先端側で挿入片２７ａと連続するとともに、基端側２箇所においてコの字状に切り欠いたコの字スリット２７ｂを設けている。これにより、表示面部３側には製函状態（Ｐ）で下端を突出させた接地端３１ａが形成される。
【００２３】
そして表示面部３は、ケース本体２に添接して自ら商品を囲い得るケース添接部３１と、このケース添接部３１からはみ出したしたはみ出し部３２と、このはみ出し部３２の上端においてシートＳを切り起こした開口を形成し得るようＣ字状にシートＳを裁断した吊り下げ部３３とを有するものである。このケース添接部３１には、上述の通り、底蓋部２７の基端側２箇所においてコの字スリット２７ａが設けてられているので、製函状態（Ｐ）で下端を突出する接地端３１ａが形成されている。またはみ出し部３２においても、下端が上記接地端３１ａと同じ上下位置まで延出させた接地端３２ａを形成している。これにより本実施形態に係るケース体１は製函状態（Ｐ）において各接地端２２ａ、３１ａ、３２ａのみで接地し、安定して自立する。またこのとき、底蓋部２７は下方に接する事がないので床面やテーブルの天板面等との接触により擦り切れるようなことも無く、ケース本体２は見栄えの良い状態で保持される。
【００２４】
しかして、本実施形態に係るケース体１は、第２側板部と接着片２９とを、曲線状に折り曲げた曲がり縁２８を介して連続させたものとしている。また接着片２９は図示の通り、本実施形態では表示面部３のはみ出し部３２へ向けて屈曲した状態で前記表示面部３に接着されている。
【００２５】
曲がり縁２８は、本実施形態では、上下方向に延出するように設けられるとともに、はみ出し部３２へ向けて湾曲形状に膨出させた形状をなしたものである。具体的には、直線状の折り目に比べ、中央が約１ｍｍ程度突出したものとなっている。なお本実施形態では第２側面板２３の上下寸法が例えば８ｃｍに設定されている。
【００２６】
そして、図３に示す保管状態（Ｑ）から、図１、図４乃至図６に示す製函状態（Ｐ）とするためには、まず図３に示す保管状態（Ｑ）から第１側面板２１及び第２側面板２３を表示面部３に対して直交するよう起立させる。そしてその状態で蓋止片２４、底補助板２６、そして上蓋部２５及び底蓋部２７の順で折り曲げる。しかる後に上蓋部２５及び底蓋部２７に連続する挿入片２５ａ、２７ａを蓋止片２４を越えるまで挿入することにより、製函状態（Ｐ）となる。
【００２７】
ここで、本実施形態に係る曲がり縁２８を設けた作用について説明する。先ず本実施形態に係るケース体１は、図５に示すように、曲がり縁２８を設けることにより、表示面部３が、具体的には第２側面板２３に接する位置、すなわちはみ出し部３２に近接した位置の表示面部３が前方に押し出されることにより、表示面部３の上下端が後方に反るように僅かに湾曲することとなる。
【００２８】
他方、図６に示すように第２側面板２３に連続させた接着片２９ははみ出し部３２へ向けて折り曲げられている。つまり折り曲げられた接着片２９は常に、同図に矢印で示すような曲げを戻す方向、つまりケース本体２の側方のはみ出し部３２を前方へ押し出すように反らせようとする付勢力を表示面部３に掛け続けるものとなっている。
【００２９】
すなわち本実施形態では上述の通り、表示面部３を予め接着片２９が反る方向に直交する方向に湾曲させているので、接着片２９の反る方向へは反り難くなっている。
【００３０】
以上のような構成とすることにより、本実施形態に係るケース体１は、ケース本体２に設けた曲がり縁２８が表示面部３から立ち上がることにより、表示面部３は曲がり縁２８に沿って予め反り返らせた状態でケース体１を組み立てることができる。これにより、表示面部３は予め反らせた方向に直交する方向に反り難くなる。その結果、表示面部３が店舗等において経時的に前記直交する方向に反ってしまい、陳列時の見栄えが衰えるという不具合を有効に回避し得るものとなっている。
【００３１】
そして本実施形態ではこの曲がり縁２８を、はみ出し部３２に近接する位置に位置付けているので、上述した陳列時の見栄えの衰えの原因となる箇所を予め反らせておくことで、より一層陳列時の見栄えの衰えを回避している。
【００３２】
また、店舗にケース体１を陳列する場合は、ケース体１を見る人はケース体１の陳列箇所の正面から見下ろすか、場合によっては見上げるように見る場合が多いため、上下方向の反りよりも左右方向の反りの方が気付かれ易い。そこで本実施形態では、上述した曲がり縁２８を上下方向に延出させて設けて設ける事で、顧客に気付かれやすい左右方向の表示面部３の反りを有効に抑えることができる。また本実施形態では表示面部３に吊り下げ部３３を設けているので、表示面部３はケース体１及びケース本体２に収容した商品の自重により上下に延びて常に左右方向に反りが起こりやすいところ、当該曲がり縁２８によって、有効に左右方向の反りを抑制している。
【００３３】
加えて本実施形態では、曲がり縁２８を接着片２９に連続する位置に設けておくことにより、この接着片２９の折り曲げ箇所で起こる表示面部３の反りを有効に抑えている。
【００３４】
この曲がり縁２８は湾曲形状に膨出させた形状となっているので、外観上目立たち難く、商品や表示面部３を見ようとする人の気が曲がり縁２８に向いてしまうことも無い。
【００３５】
そして、表示面部３と前記ケース本体２とを一体に形成し、一枚のシートＳの折り曲げによって形成することにより、ケース体１を構成するシートＳの枚数及び組立ての工数を有効に節減し得たものとなっている。
【００３６】
なお、本考案は、以上に詳述した実施形態に限られるものではない。
【００３７】
例えば、上記のケース体は、印刷を施した透明の樹脂によって構成されたものであるが、勿論、紙や他の素材によって構成しても良い。また上記実施形態では接着片を接着剤Ｂによって接着する態様を開示したが、勿論、係止片とスリット等との係り合わせによって接着剤Ｂや糊等を用いずに構成しても良い。
【００３８】
その他、各部の具体的構成についても上記実施形態に限られるものではなく、本考案の趣旨を逸脱しない範囲で種々変形が可能である。
【符号の説明】
【００３９】
１…ケース体
２…ケース本体
２８…曲がり縁
２９…接着片
３…表示面部
３１…ケース添接部
３２…はみ出し部
Ｓ…シート
【産業上の利用可能性】
【００４０】
本考案は店舗等において商品を好適に陳列する目的で用いられる、表示面部に商品を収容したケース本体を添接させたケース体として利用することができる。
【図１】
0003171079.tif 000003
【図２】
0003171079.tif 000004
【図３】
0003171079.tif 000005
【図４】
0003171079.tif 000006
【図５】
0003171079.tif 000007
【図６】
0003171079.tif 000008